(57)【要約】  ボイドフォーマーがモールド（３０）に配置される。ボイドフォーマーは、モールド内のコア領域（１５）の周りにループを形成する可撓性材料からなるインサート（１）を含む。鋳造材料が、コア領域を含む、対面要素のための所定の体積を満たすように流体状態でモールド内へ添加される。鋳造材料の硬化後、対面要素（１０）はモールドから除去され、ボイドフォーマーは対面要素から除去される。対面要素は、硬化した鋳造材料によってコア領域（１５）に形成されたアンカーコアを含む。ボイドフォーマーを除去することは、対面要素（１０）の後面からインサート（１）を引き離すことを含む。少なくとも１つのインサートの可撓性材料は、引っ張られている間、アンカーコア（１５）の周りで変形する。
2020537725.tif 000002
【特許請求の範囲】
【請求項１】
補強土構造（１００）のための対面要素（１０）を製造する方法であって、
モールド（３０）にボイドフォーマーを配置するステップであって、前記ボイドフォーマーは、可撓性材料からなる少なくとも１つのインサート（１）を含み、少なくとも１つの前記インサートは、前記モールド内のコア領域の周りにループを形成する、ステップと、
鋳造材料が対面要素のための所定の体積を満たすように前記鋳造材料を流体状態で前記モールド内へ添加するステップであって、前記所定の体積が前記コア領域を含む、ステップと、
前記鋳造材料を硬化させて前記対面要素（１０）を形成するステップと、
前記モールドから前記対面要素を、および前記対面要素から前記ボイドフォーマーを除去するステップと、
を含んでなる、補強土構造（１００）のための対面要素（１０）を製造する方法において、
前記対面要素は、硬化した前記鋳造材料によって前記コア領域に形成されたアンカーコア（１５）を含み、
前記ボイドフォーマーを除去するステップが、少なくとも１つの前記インサート（１）を前記対面要素（１０）の後面（１３）から引き離すステップを含み、少なくとも１つの前記インサートの前記可撓性材料は、引っ張られている間、前記アンカーコア（１５）の周りで変形することを特徴とする、方法。
【請求項２】
前記アンカーコア（１５）は、前記補強土構造（１００）の補強部材（１１）のループ部分（１１Ａ）と接触するように配置された荷重伝達表面（１５Ａ）を有し、前記ループ部分の両側で、前記補強部材が前記アンカーコアと接触せず、前記対面要素（１０）の前記後面（１３）から突出する２つのそれぞれの張力部分（１１Ｂ、１１Ｃ）を含むようになっており、
前記鋳造材料が添加されて硬化するとき、可撓性材料からなる、前記ボイドフォーマーの単一のインサートが前記アンカーコアの前記荷重伝達表面に沿って連続的に延びていることを特徴とする、請求項１に記載の方法。
【請求項３】
前記対面要素（１０）が、前記ボイドフォーマーによって成形されて前記対面要素の前記後面（１３）上に開口した、前記アンカーコア（１５）の周りのチャネル（２０）を有し、
前記アンカーコアの前側に位置する前記チャネルの一部（１８）が一定の断面を有することを特徴とする、請求項１または２に記載の方法。
【請求項４】
一定の断面を有する前記チャネル（２０）の前記一部（１８）が、前記チャネルの長さの半分を超えて延びていることを特徴とする、請求項３に記載の方法。
【請求項５】
前記ボイドフォーマーの少なくとも１つの前記インサート（１）が、第１の端部（２）と、前記第１の端部の反対側の第２の端部（３）と、前記第１の端部（２）から前記第２の端部（３）へ減少する厚さと、を有し、
少なくとも１つの前記インサート（１）が、前記第１の端部（２）を介して前記対面要素（１０）の前記後面（１３）から引き離されることを特徴とする、請求項１または２に記載の方法。
【請求項６】
前記ボイドフォーマーの少なくとも１つの前記インサート（１）が内部骨組み（６）を有することを特徴とする、請求項１から５のいずれか一項に記載の方法。
【請求項７】
前記コア領域の周りの前記モールド（３０）に管状部材（７０）が配置され、前記管状部材が、少なくとも１つの前記インサート（７１）によって形成された前記ループによって包囲されていることを特徴とする、請求項１から６のいずれか一項に記載の方法。
【請求項８】
前記ボイドフォーマーが、前記管状部材（７０）および少なくとも１つの前記インサート（７１）を前記モールド内の定位置に保持する支持構造（７２）をさらに含むことを特徴とする、請求項７に記載の方法。
【請求項９】
前記ボイドフォーマーの少なくとも１つの前記インサートが、前記管状部材（７０）と前記支持構造（７２）の内面との間に維持された少なくとも１つの可撓性ストリップ（７１）を含むことを特徴とする、請求項８に記載の方法。
【請求項１０】
可撓性材料からなる少なくとも１つの前記インサート（１）が中空であり、
前記モールドに前記ボイドフォーマーを配置するステップは、少なくとも１つの前記インサート内へ流体媒体を圧力下で注入するステップを含み、
前記ボイドフォーマーを除去するステップは、前記ボイドフォーマーの少なくとも１つの前記インサートにおける圧力を解放するステップを含むことを特徴とする、請求項１から９のいずれか一項に記載の方法。
【請求項１１】
可撓性材料からなる、前記ボイドフォーマーのインサート（１）が、第１のコネクタ部（４１）が設けられた端部（２、３）を有し、
第２のコネクタ部（４２、４３、４４）が前記第１のコネクタ部（４１）と協働して、前記鋳造材料が添加されて硬化するとき、前記コア領域の周りの前記モールド（３０）における定位置に前記インサート（１）を維持し、
前記ボイドフォーマーを除去するステップは、前記第１および第２のコネクタ部を互いに分離するステップを含むことを特徴とする、請求項１から１０のいずれか一項に記載の方法。
【請求項１２】
前記ボイドフォーマーは、第１および第２の端部（２、３）と、前記第１の端部（２）から前記第２の端部（３）へ減少する厚さと、を有する可撓性材料からなる１つのインサート（１）と、を含み、
前記モールド（３０）に前記ボイドフォーマーを配置するステップは、前記対面要素の前記後面（１３）に合致する前記モールド（３０）の表面に隣接して前記インサートの前記第１および第２の端部（２、３）の両方を配置して前記コア領域の周りに前記ループを形成するステップを含み、
前記ボイドフォーマーを除去するステップは、前記インサート（１）をその前記第１の端部（２）を介して後面（１３）から引き離すステップを含むことを特徴とする、請求項１から１１のいずれか一項に記載の方法。
【請求項１３】
前記ボイドフォーマーの少なくとも１つの前記インサート（１Ａ、１Ｂ）が、可撓性材料の複数の重ね合わせられた層（６０Ａ、６０Ｂ）を含むことを特徴とする、請求項１から１２のいずれか一項に記載の方法。
【請求項１４】
前記対面要素（１０）は、前記ボイドフォーマーによって成形されて前記対面要素の後面上に第１および第２の開口（２１、２２）を有する、前記アンカーコア（１５）の周りのチャネルを有し、
可撓性材料の複数の重ね合わせられた前記層が、前記ボイドフォーマーが除去されるときに前記チャネル（２０）の前記第１の開口（２１）を通して引っ張られる少なくとも１つの層（６０Ａ）と、前記ボイドフォーマーが除去されるときに前記チャネルの前記第２の開口（２２）を通して引っ張られる少なくとも１つの層（６０Ｂ）と、を含むことを特徴とする、請求項１３に記載の方法。
【請求項１５】
前記第１の開口（２１）を通して引っ張られる可撓性材料の層（６０Ａ）が、前記第１の開口からその遠位端に向かって減少する厚さを有する一方、前記第２の開口（２２）を通して引っ張られる可撓性材料の層（６０Ｂ）が、前記第２の開口からその遠位端に向かって減少する厚さを有し、前記チャネル（２０）の少なくとも一部が一定の断面を有するようにすることを特徴とする、請求項１４に記載の方法。
【発明の詳細な説明】
【技術分野】
【０００１】
本発明は、補強土構造のための対面要素を製造する分野に関する。
【背景技術】
【０００２】
安定化された土壌構造は、締固め埋戻し材、複数の対面要素からなる表面、および対面要素の裏側に通常接続された補強材を組み合わせている。補強材は、補強土構造にかかるかもしれない応力に応じた密度で締固め埋戻し材に配置されている。補強材と埋戻し材との間の摩擦によって土壌におけるスラスト力が平衡している。
【０００３】
補強土構造において用いられる対面要素はしばしば、その構造の前面を覆うように配置された、事前製造されたコンクリートパネルまたはブロックの形態である。
【０００４】
補強材は、埋戻し材に配置されたストリップの形態であり得る。これらは、いくつかの形態をとり得るアンカー要素によって対面要素に固定されている。たとえば、これらは、対面要素の本体に形成されてアンカーコアを包囲する、実質的にＣ形状の中空湾曲部分、またはチャネルであり得る。補強材は次いで対面要素のチャネルの内側に導入されてアンカーコアの周りにループを形成する。
【０００５】
補強土構造が完成すると、補強材は、場合によっては数トンまでの高負荷を伝達する。これらの対面要素への接続は、構造の結合を維持するために、堅牢である必要がある。
【０００６】
対面要素におけるアンカー要素の製造は、対面要素にその形状を与えるモールドに挿入されるボイドフォーマーの使用を伴う。コンクリートまたは何らかの他の鋳造材料がモールド内へ流し込まれて、ボイドフォーマーが占める体積を除く所定の体積を満たす。これにより、鋳造材料が硬化すると、アンカー要素を形成するチャネルが作製される。
【０００７】
欧州特許出願公開第２３７２０２７号（特許文献１）は、補強ストリップによって加えられる荷重に対するアンカーコアの堅牢性を向上させる対面要素の後面に形成されるチャネルの形状を議論している。
【０００８】
欧州特許第１６６２０５０号（特許文献２）および国際公開第２０１７／００６０４３号（特許文献３）において、ボイドフォーマーはモールドに配置される中空のプラスチックスリーブであり、これは、コンクリートが硬化すると、そこに埋め込まれたままになる。このようなスリーブは、回収して複数回用いることができないため、対面要素の製造コストに影響を与える。また、何らかの鋳造材料が誤ってスリーブに入れば、対面要素は使用不能になる。
【０００９】
米国特許第５，６５１，９１１号（特許文献４）および米国特許第７，１２７，８５９号（特許文献５）は、コンクリート要素の事前製造において鋼製アンカーの周りにチャネルを形成するための除去可能インサートを開示している。しかしながら、補強土の用途においては、金属部品は腐食を引き起こす可能性があるため、その使用は可能な限り回避すべきである。アンカーコアがコンクリートからなるとき、補強材によって加えられる高い引っ張り荷重に耐えられるよう、その断面積を大きくしなければならず、これら２つの文献に開示されたような除去可能インサートは用いることができない。
【００１０】
米国特許第５，８３９，８５５号（特許文献６）および欧州特許第２８５０２５１号（特許文献７）は、対面要素が鋳造されるとき互いにに接合され、コンクリートが固まると次いで切断、回転および除去される、剛性材料からなる２つの半体を含むボイドフォーマーを用いることを開示している。ボイドフォーマーは、対面要素とともに鋳造されたコンクリートコアの周りにチャネルを形成する。各半体は、コンクリートが硬化するとボイドフォーマーを除去することが可能になるよう、対面要素の裏側に向かってチャネルの断面を徐々に拡大する変化する断面を有する。このような鋳造アセンブリの欠点は、ボイドフォーマーの２つの半体間の接合部でアンカーコア上に分割線または他の表面欠陥を作製する可能性があることである。このような欠陥は、時間の経過とともに補強材に損傷を与える可能性がある摩擦を引き起こす。欧州特許第２８５０２５１号（特許文献７）による対面要素の製造は、鋳造アセンブリの取り付けおよび取り外しに、両部品を接続／切断してチャネルから除去するいくつかのステップが要求されるため、高価なままである可能性がある。
【先行技術文献】
【特許文献】
【００１１】
【特許文献１】欧州特許出願公開第２３７２０２７号明細書
【特許文献２】欧州特許第１６６２０５０号明細書
【特許文献３】国際公開第２０１７／００６０４３号公報
【特許文献４】米国特許第５，６５１，９１１号明細書
【特許文献５】米国特許第７，１２７，８５９号明細書
【特許文献６】米国特許第５，８３９，８５５号明細書
【特許文献７】欧州特許第２８５０２５１号明細書
【発明の概要】
【発明が解決しようとする課題】
【００１２】
補強土構造において用いられる対面要素にアンカー要素を製造する、より簡易な信頼できる解決策を提供する必要性が存在する。
【課題を解決するための手段】
【００１３】
補強土構造のための対面要素を製造する方法が開示される。この方法は、
モールドにボイドフォーマーを配置するステップであって、ボイドフォーマーは、可撓性材料からなる少なくとも１つのインサートを含み、少なくとも１つのインサートは、モールド内のコア領域の周りにループを形成する、ステップと、
鋳造材料がコア領域を含む対面要素のための所定の体積を満たすように鋳造材料を流体状態でモールド内へ添加するステップと、
鋳造材料を硬化させて対面要素を形成するステップと、
モールドから対面要素を、および対面要素からボイドフォーマーを除去するステップと、
を含む。
【００１４】
対面要素は、硬化した鋳造材料によってコア領域に形成されたアンカーコアを含む。ボイドフォーマーを除去するステップは、少なくとも１つのインサートを対面要素の後面から引き離すステップを含み、少なくとも１つのインサートの可撓性材料は、引っ張られている間、アンカーコアの周りで変形する。
【００１５】
補強土構造の補強部材を受けるチャネルの形状は、アンカーコアを成形し、容易に除去して、必要であれば、再利用して他の対面要素を作製することができる可撓性インサートによって画定される。可撓性インサートは、ボイドフォーマーが除去されている間、ベルトの方法で容易に引っ張られて変形する。
【００１６】
アンカーコアは、補強土構造の補強部材のループ部分と接触するように配置された荷重伝達表面を有することができ、ループ部分の両側で、補強部材がアンカーコアと接触せず、対面要素の後面から突出する２つのそれぞれの張力部分を含むようになっている。有利なことに、このような構成において、鋳造材料が添加されて硬化するとき、可撓性材料からなる、ボイドフォーマーの単一のインサートがアンカーコアの荷重伝達表面に沿って連続的に延びることができる。
【００１７】
一実施形態において、対面要素は、ボイドフォーマーによって成形されて対面要素の後面上に開口した、アンカーコアの周りのチャネルを有し、アンカーコアの前側に位置するチャネルの一部が一定の断面を有する。一定の断面を有するチャネルの部分は、チャネルの長さの半分を超えて延びることができる。
【００１８】
あるいは、ボイドフォーマーの少なくとも１つのインサートは、第１の端部と、第１の端部の反対側の第２の端部と、第１の端部から第２の端部へ減少する厚さと、を有する。少なくとも１つのインサートは、第１の端部を介して対面要素の後面から引き離される。
【００１９】
一実施形態において、ボイドフォーマーの少なくとも１つのインサートは内部骨組みを有する。
【００２０】
一実施形態において、コア領域の周りのモールドに管状部材が配置され、管状部材は、少なくとも１つのインサートによって形成されたループによって包囲されている。ボイドフォーマーは、管状部材および少なくとも１つのインサートをモールド内の定位置に保持する支持構造をさらに含むことができる。ボイドフォーマーの少なくとも１つのインサートは、管状部材と支持構造の内面との間に維持された少なくとも１つの可撓性ストリップを含むことができる。
【００２１】
一実施形態において、可撓性材料からなる少なくとも１つのインサートは中空であり、モールドにボイドフォーマーを配置するステップは、少なくとも１つのインサート内へ流体媒体を圧力下で注入するステップを含み、ボイドフォーマーを除去するステップは、ボイドフォーマーの少なくとも１つのインサートにおける圧力を解放するステップを含む。
【００２２】
一実施形態において、可撓性材料からなる、ボイドフォーマーのインサートが、第１のコネクタ部が設けられた端部を有し、第２のコネクタ部が第１のコネクタ部と協働して、鋳造材料が添加されて硬化するとき、コア領域の周りのモールドにおける定位置にインサートを維持し、ボイドフォーマーを除去するステップは、第１および第２のコネクタ部を互いに分離するステップを含む。
【００２３】
ボイドフォーマーが可撓性材料からなる１つのインサートを含むとき、インサートは、第１および第２の端部と、第１の端部から第２の端部へ減少する厚さと、を有することができる。モールドにボイドフォーマーを配置するステップはこのとき、対面要素の後面に合致するモールドの表面に隣接してインサートの第１および第２の端部の両方を配置してコア領域の周りにループを形成するステップを含むことができる。ボイドフォーマーを除去することはこのとき、インサートをその第１の端部を介して後面から引き離すことによって容易になる。
【００２４】
この方法の一実施形態において、ボイドフォーマーの少なくとも１つのインサートは、可撓性材料の複数の重ね合わせられた層を含む。対面要素は、ボイドフォーマーによって成形されて対面要素の後面上に第１および第２の開口を有する、アンカーコアの周りのチャネルを有し、可撓性材料の複数の重ね合わせられた層は、ボイドフォーマーが除去されるときにチャネルの第１の開口を通して引っ張られる少なくとも１つの層と、ボイドフォーマーが除去されるときにチャネルの第２の開口を通して引っ張られる少なくとも１つの層と、を含むことができる。第１の開口を通して引っ張られる可撓性材料の層が、第１の開口からその遠位端に向かって減少する厚さを有することができる一方、第２の開口を通して引っ張られる可撓性材料の層が、第２の開口からその遠位端に向かって減少する厚さを有し、チャネルの少なくとも一部が一定の断面を有するようにする。
【００２５】
本明細書に開示される方法および装置の他の特徴および利点が、添付の図面を参照して、非限定的な実施形態の以下の説明から明らかになるであろう。
【図面の簡単な説明】
【００２６】
【図１】対面要素に接続された補強材を備えた対面要素を含む補強土構造の概略断面図である。
【図２】対面要素およびそのアンカーコアの概略断面図である。
【図３ａ】本発明の一実施形態において使用可能な可撓性インサートの概略断面図である。
【図３ｂ】本発明の一実施形態において使用可能な可撓性インサートの斜視図である。
【図４】可撓性インサートの他の例の概略断面図である。
【図５】可撓性インサートの他の例の概略断面図である。
【図６】可撓性インサートの他の例の概略断面図である。
【図７】本発明の他の実施形態によるボイドフォーマーの概略断面図である。
【図８】本発明の他の実施形態によるボイドフォーマーの概略断面図である。
【図９】可撓性インサートの他の一例の概略断面図である。
【図１０】本発明の他の一実施形態において使用可能な可撓性インサートの概略断面図である。
【図１１】本発明の他の一実施形態において使用可能な可撓性インサートの斜視図である。
【図１２】代替ボイドフォーマーの概略断面図である。
【図１３】代替ボイドフォーマーの概略断面図である。
【図１４】代替ボイドフォーマーの概略断面図である。
【図１５】代替ボイドフォーマーの概略断面図である。
【図１６ａ】本発明の一実施形態によるボイドフォーマーの他の一例の概略図である。
【図１６ｂ】本発明の一実施形態によるボイドフォーマーの他の一例の概略図である。
【発明を実施するための形態】
【００２７】
明確化のため、これらの図上に表された特徴の寸法は、対応する要素の実際の大きさの比率に必ずしも対応していないことがある。図上の同様の参照番号は、同様の要素または品目に対応する。
【００２８】
本発明は、補強土構造において用いられることを意図した対面要素の製造中に生じる問題に対処する。より具体的には、本発明は、再利用可能なインサートを用いることによって、対面要素の裏側でアンカーを作製する簡易、便利で費用効率的な方法を提供する。
【００２９】
図１は、補強土構造１００の概略断面図である。この構造は、壁を形成するように配置することができる対面要素１０からなる前面を含む。対面要素１０の背後には埋戻し材１２が配置されている。対面要素の後面１３に固定されて埋戻し材１２内へ延びる補強材１１の使用で、対面要素１０と埋戻し材１２との間の安全な接続が保証されている。
【００３０】
補強材１１は通常、合成材料のストリップの形態である。一例において、補強ストリップ１１は、可撓性ポリエチレンマトリックスに埋め込まれたポリエステル繊維に基づく。ジオテキスタイルグリッド、ウェブまたはストリップのような、他の種類の補強材を用いることができる。
【００３１】
図２に示すように、補強ストリップ１１の固定は、アンカーコア１５の周りの対面要素１０のコンクリート本体に形成された略Ｃ形状のチャネル２０によって行われる。チャネル２０は、コンクリート本体の後面１３と前面１４との間に位置する。これは、第１および第２の開口２１、２２で後面１３上に開口している。第１および第２の開口２１、２２間で、アンカーコア１５の前側に位置するチャネル２０の部分１８が、補強ストリップ１１がループを形成するループ部分である。
【００３２】
チャネル２０のループ部分１８において、アンカーコア１５は、補強土構造の補強ストリップ１１のループ部分１１Ａと接触する荷重伝達表面１５Ａを有する。ループ部分１１Ａの両側で、補強ストリップ１１はアンカーコア１５と通常接触しておらず、対面要素１０の後面１３から突出して埋戻し材１２内へ延びる２つの張力部分１１Ｂ、１１Ｃを含む。埋戻し材の荷重により、部分１１Ｂ、１１Ｃに張力が加えられる。これは、アンカーコア１５に荷重を伝達するループ部分１１Ａに加えられる圧縮力に変換される。
【００３３】
アンカーコア１５は、伝達された荷重を受け取るために頑丈でなければならない。アンカーコア１５がコンクリートからなるとき、その断面は実体的でなければならないが、コンクリート対面要素１０の全体的な厚さが過度に高くならないことも望ましい。したがって、製造上の制約を念頭に置きながら、チャネル２０の形状の何らかの最適化が行われるべきである。
【００３４】
図２に示す実施形態において、チャネル２０のループ部分１８は一定の断面を有する。対面要素の製造プロセスは、以下でより詳細に説明するが、ループ部分１８の断面が開口２１、２２に向かって広くなることを必要としない（このような拡大も可能であるが）。たとえば、一定の断面は、補強ストリップ１１よりわずかに厚くなるように選択されてそのチャネル２０内への挿入を可能にしている。しかしこれは比較的薄いままにすることができ、これは堅牢なアンカーを提供するのに有利である。特に、この製造プロセスはもはやチャネルを広げる理由にはならない。
【００３５】
対面要素にその形状を与えるモールドに鋳造材料、通常コンクリートを流し込むことによって対面要素が製造される。鋳造材料の硬化後、対面要素１０をそのモールドから除去することができる。
【００３６】
チャネル２０およびアンカーコア１５を作製するため、図３〜図１６に示すものの１つのようなボイドフォーマーが用いられる。好ましくは、ボイドフォーマーは再利用可能な鋳造要素であり、すなわちこれを用いて対面要素１０を作製すると、これを回収し、再度用いて他の同様の対面要素１０を作製することができる。
【００３７】
図３ａおよび図３ｂに示すように、ボイドフォーマーは、第１の端部２および第２の端部３を有する一体のみからなる可撓性材料のインサート１の形態とすることができる。インサート１の幅Lは補強ストリップ１１の幅よりわずかに大きい。インサートは、アンカーコア１５の意図された形状に対応するコア領域の周りにループを形成するようにモールドに配置される。
【００３８】
第１の、非ひずみ状態において、可撓性インサート１は、図３ｂに斜視図で示す第１の形状３１を有し、端部２、３は互いに離間している。第１の端部２での可撓性インサート１の断面は第２の端部３より大きい。これにより、対面要素１０に形成されるべきチャネル２０の第１の開口２１に適切な、たとえば適切な開口角度α（図２）を備えた形状を第１の端部２により与えることが可能になる。また、端部２でのより大きな断面により、対面要素１０が鋳造された際のボイドフォーマーの取り出しを容易にすることができるグリップ部が提供される。対面要素が鋳造された後、ボイドフォーマーは、たとえば端部２によって提供されるグリップ部に引っ張り力をかけることによって、それをチャネル２０から引き出すことによって取り出される。
【００３９】
他の実施形態（図示せず）において、可撓性インサート１の第１の端部２の断面は第２の端部３と同様である。その場合、支持構造を第１の端部２に取り付けて、第１の開口２１の適切な形状、特に十分な開口角度αを提供することができる。
【００４０】
図３ａに示すように、可撓性インサートは第２の形状３２へと曲げることができ、第２の端部３は第１の形状３１のときより第１の端部２に近づく。この第２の形状３２において、可撓性インサート１はひずみ状態に維持され、鋳造対面要素１０のチャネル２０に合致する体積を占める。可撓性インサート１は、チャネル２０を形成するためにこの曲がった状態でモールド３０に配置される。
【００４１】
図３ａおよび図３ｂに示す可撓性インサート１は、少なくともその第２の形状３２へと曲げられたとき、その長さのほとんどで一定の厚さを有する。したがってこれは、上で議論したようなチャネルのループ部分１８を形成するのに適している。
【００４２】
再利用可能な鋳造要素１を第２の形状３２にするため、モールド３０は、可撓性インサート１を取り付けることができる、またはこれを第２の形状３２において阻止することができる構造３３を含むことができる。
【００４３】
第１の形状３１から第２の形状３２への、またはその逆の変化は、第１の部分２でよりも第２の部分３での可撓性インサート１のより大きな変形を意味する。可撓性インサート１が作製されるポリマー材料はこの事実を利用し、第１の端部２でよりも第２の端部３でより高い弾性を有することができる。たとえば、この弾性は、第１の端部２から第２の端部３へ徐々に増加することができる。
【００４４】
可撓性インサート１に適した材料の一例はポリウレタンである。この材料はコンクリートに対して化学的に耐性があり、プロセスにおいて損傷を受けることなく弾性変形が可能であるとともに、製造が容易で安価である。可撓性インサート１に他の材料または異なる材料の混合物を用いることができる。
【００４５】
他の一実施形態において、可撓性インサート１の非ひずみ形状は、図３ａに破線で示すもの３２とすることができ、この場合、可撓性インサート１は、モールドにおける鋳造材料の硬化後に対面要素１０から引き出されるときに弾性変形を受けるのみである。
【００４６】
図４は、たとえば第１の端部上（図示せず）またはモールド３０上のいずれかにある、第２のコネクタ部４３との解放可能なロック接触を可能にする第１のコネクタ部４１が、可撓性インサート１の第２の端部に設けられているボイドフォーマーの他の一実施形態を示す。コネクタ部４１はたとえば、ねじを受けるように適合されたねじ切り、相補的な形状を有する要素と協働するクリップ、磁気コネクタ、接着コネクタ、ジッパ、突起内へ挿入することができる凹部またはその逆などであり得る。
【００４７】
コンクリートの硬化後に図４のボイドフォーマーを対面要素１０から除去することは、第２の端部３に位置する一対のコネクタ部４１、４３を互いに分離し、第１の端部２を引っ張ることを含む。
【００４８】
図４に見られるように、支持構造５０を用いて、チャネル２０の第２の開口２２に十分な開口角度αを提供することができる。支持構造５０はたとえば、可撓性インサート１と係合してこれを図３ａに示す形状３２にするように適合された形状を有するモールド３０における突起または他の部品であり得る。
【００４９】
図５は、ボイドフォーマーがモールド３０に配置されているとき、可撓性インサート１の第１の端部２が必ずしも第２の端部３と接触していないことを示している。図５の実施形態において、２つの端部２、３間にギャップ４５が残っている。２つの端部分２、３は、たとえばキーまたはＣ形状ロックのような他のコネクタ部４４によって接合することができるそれぞれのコネクタ部４１を有する。可撓性インサートの端部２、３に配置された２つのコネクタ部４１を接合することは、両端部が直接接触しているときに行うこともできる（図４に示す状況のように）。
【００５０】
図５はさらに、可撓性インサート１の周りにシース４０を設ける可能性を示す。このようなシース４０は、製造された対面要素１０から可撓性インサートが取り出されるとき、可撓性インサート１とコンクリートとの間の摩擦を低減することができる。シース４０はまた、補強ストリップ１１との接触のための滑らかな表面を提供することができる。
【００５１】
他の一実施形態によれば、可撓性インサート１は、それ自体が中空のシースまたはスリーブであり得る。チャネル２０の意図された形状に合致し、モールド３０内へ流体状態で添加されるコンクリートの圧力に耐えるため、このような中空のシースまたはスリーブは、たとえば砂、ガス（たとえば加圧空気、二酸化炭素）、液体（たとえば油または水）またはコンクリートのような材料で満たすことができる。
【００５２】
図６は、可撓性インサート１の第１および第２の端部２、３の両方が第１のコネクタ部４１を含む可撓性インサート１の他の一例を示す。これらのコネクタ部４１を用いて、モールド３０に可撓性インサート１を取り付け、モールド３０上の対応する第２のコネクタ部４３と協働することによってこれを曲げ形状３２にすることができる。
【００５３】
上の例はほとんど、対面要素１０を形成するために用いられるモールド３０上に可撓性インサート１を取り付けることに依存している。しかしながら、可撓性インサート１は、モールド３０に取り付けられた支持構造５０と組み合わせて用いることもできる。図７および図８は、可撓性インサート１および支持構造５０を含むこのようなボイドフォーマーの２つの例を示す。
【００５４】
図７は、図６のものと同様の可撓性インサート１を示しているが、これはその端部２、３にそれぞれ配置された第１のコネクタ部４１を介して支持構造５０に取り付けられ、これらは支持構造５０に配置されたそれぞれの第２のコネクタ部４２を係合する。
【００５５】
図８は、支持構造５０が、可撓性インサート１と協働するための凹部５１および突起５２を含む代替一実施形態を示す。図８の構成において、インサート１の第１および第２の端部２、３の両方は、対面要素の後面１３に合致するモールド３０の表面に隣接して配置されてコア領域の周りにループを形成する。
【００５６】
図８の実施形態は他の特徴を含み、これは他の実施形態においても使用可能であるが、可撓性インサート１の厚さはその第２の端部３の近くで減少する。第１の端部２の厚さ４は第２の端部３での厚さ５より大きい。この厚さの減少により、対面要素１０が製造された際の可撓性インサート１の取り出しが容易になる。可撓性インサート１の第２の端部３は、それが対面要素から引き出されるときに摩擦を受けにくい。
【００５７】
ボイドフォーマーに対するさらなる可能な改善が図９に表されている。ここで、可撓性インサート１は、可撓性インサート１の寿命を延ばす、埋め込まれた金属または炭素グリッドまたはストリップのような内部骨組み６を含む。これらの骨組み６は、好ましくは可撓性インサートの第２の端部３の近くに強度を追加して、その非弾性変形を回避する。インサートは、摩擦力または引っ張り応力に対する再利用可能な鋳造要素１の耐性を向上させる複合材料で作製することができる。内部骨組み６はまた、リブの形態をとることができる。
【００５８】
図９に示す他の特徴は、可撓性インサート１のその非ひずみ状態における湾曲形状に関する。湾曲形状は、モールド３０におけるループ構成において可撓性インサート１に加えられるひずみが、対面要素１０から引き離されるときに可撓性インサート１に加えられるひずみより小さくなるようなものである。このような湾曲形状は、可撓性インサート１が図３ａに示す形状３１または３２をとらされるときに第２の端部３が受ける全体の変形を低減する。これにより、中空の湾曲部分２０における、特にアンカーコアおよび第２の開口２２の周りの分割線のような表面欠陥のリスクが低減される。
【００５９】
図１０〜図１１に示す実施形態において、ボイドフォーマーは、一方の部分６０が第１の端部２から第２の端部３まで延びる実質的に一定の厚さのストラップを形成し、他の部分６１が、コンクリートがモールドに流し込まれるときその外に残るベースを形成する一片のゴムで作製されている可撓性インサート１からなる。ストラップ６０が図１０〜図１１に示す位置に曲げられているとき、第２の端部３は、その外面が、ベース６１に属してチャネルの第２の開口２２の形状を画定する支持構造６２を圧迫している。支持構造６２は、ストラップ６０の先端を受け入れてモールドにおける定位置に保つ凹部６３を有する。コンクリートが硬化した後、可撓性インサート１は、ベース６１でこれを把持することによって対面要素１０から引き離される。
【００６０】
図１２に示す可撓性インサート１も、ベース部６１、および対面要素１０にチャネル２０を形成するストラップ部６０を有する。ストラップ６０の第２の端部３は、モールドにおける定位置に保たれるよう、ベース６１に形成された穴６４に受け入れられる。可撓性インサート１は、ベース６１を引っ張ることによって対面要素１０から除去される。そのとき、ストラップ６０は、対面要素１０のコンクリート材料に形成されたチャネル２０に沿って変形することによって広がる。
【００６１】
図１３に示す代替一実施形態において、ボイドフォーマーは、それぞれがベース部６１Ａ、６１Ｂおよびストラップ部６０Ａ、６０Ｂを有する２つの可撓性インサート１Ａ、１Ｂを含む。２つのストラップ部６０Ａ、６０Ｂは、ボイドフォーマーがモールドに配置されているとき、それらの遠位端面が互いに接触している。この接触は、アンカーコア１５の前側に位置するチャネル２０の部分１８にある。２つのストラップ部６０Ａ、６０Ｂの遠位端表面は、合致した形状（たとえば、ピン／穴、ほぞ／ほぞ穴など）を有することができ、チャネル２０のための滑らかな形状を画定するように互いに解放可能に接続される一方、可撓性インサート１Ａ、１Ｂをそれらのベース部６１Ａ、６１Ｂを介して引き離すことを可能にする。
【００６２】
ボイドフォーマーの他の可能な構成を図１４に示す。ここで、ボイドフォーマーはまた、それぞれがベース部６１Ａ、６１Ｂおよびストラップ部６０Ａ、６０Ｂを有する２つの可撓性インサート１Ａ、１Ｂを含む。２つのストラップ部６０Ａ、６０Ｂは、可撓性材料の重ね合わせられた層を形成してチャネル２０の形状を画定する。可撓性インサート１Ａのストラップ部６０Ａは、チャネル２０の外部形状を画定する外面、およびボイドフォーマーがモールドに配置された、すなわち図１４に示す位置にあるときに他方のストラップ部６０Ｂの外面と接触する内面を有する。可撓性インサート１Ｂのストラップ部６０Ｂは、チャネル２０の内部形状（またはアンカーコア１５の荷重伝達面１５Ａ）を画定する内面を有する。ストラップ部６０Ａ、６０Ｂは、各可撓性インサート１Ａ／１Ｂのストラップ部６０Ａ／６０Ｂの遠位端が他方の可撓性インサート１Ｂ／１Ａのベース６１Ｂ／６１Ａに当接し、したがってチャネル２０およびアンカーコア１５の所定の形状を画定するような寸法である。
【００６３】
図１４に示すボイドフォーマーのストラップ部６０Ａ、６０Ｂのそれぞれは、硬化した対面要素１０からのその取り出しを容易にするため、ベース部６１Ａ、６１Ｂからその遠位端へ減少する厚さを有することができる。ストラップ部６０Ａ、６０Ｂの厚さの減少率が両可撓性インサート１Ａ、１Ｂで同じであれば、取り出しを容易にするという利点とともに、アンカーコア１５の前側に位置するチャネル２０の部分１８において一定の断面を有するという利点を得ることができる。
【００６４】
図１４のボイドフォーマーを除去することは、ベース部６１Ａを把持することによって第１の開口２１を介してストラップ部６０Ａを引っ張ること、およびベース部６１Ｂを把持することによって第２の開口２２を介してストラップ部６０Ｂを引っ張ることを、一方の次に他方を、または同時に行うことを含む。
【００６５】
図１５は、
内部形状がアンカーコア１５の意図された外部形状に合致する管状部材７０と、
互いに平行に配置されて管状部材７０の周りにループを形成する１つまたは複数の可撓性ストリップ７１と、
ボイドフォーマーのための支持構造を形成する２つの顎７２と、
を含む、ボイドフォーマーの他の一実施形態を示す。
【００６６】
各顎７２は、モールド３０に流し込まれるコンクリートの外側に残るベース部７３、およびコンクリートに浸漬される延長部７４を有する。２つの顎７２は、管状部材７０の周りの可撓性ストリップ７１によって形成されるループの両側に配置される。これらは、たとえば、ベース部７３に配置された１つまたは複数のねじ７５およびナット７６を用いて一方が他方に向かって押されることによって可撓性ストリップ７１を締め付ける。顎７２の延長部７４は、可撓性ストリップ７１を定位置に保ちながらチャネル２０の端部２１、２２の形状を画定する支持構造（図６〜図８を参照して説明した支持構造５０と同様）を提供する。
【００６７】
コンクリートの硬化後の図１５に示すボイドフォーマーの除去は、ねじ／ナット７５／７６を解放して、顎７２をそのベース部７３を介して引っ張ることによって取り外し、可撓性ストリップ７１の端部を引っ張ってチャネル２０を開くことを含む。
【００６８】
管状部材７０は対面要素１０のコンクリートに残る。これは好ましくはプラスチック材料からなる。これはアンカーコア１５に滑らかな荷重伝達表面１５Ａを提供する。管状部材７０は、荷重伝達表面１５Ａを含む、アンカーコア１５の周辺の一部のみを覆うことができることが留意されるであろう。これは対面要素１０の裏側に向かって開いていてもよい。
【００６９】
図１６ａ〜図１６ｂに示す実施形態において、ボイドフォーマーは、剛性ベース６１、および中空で、膨張可能であるように可撓性材料からなるインサート１を有する。この例において、可撓性インサート１は、その２つの端部がベース６１に接続され、たとえば一端がベース６１に永続的に取り付けられるとともにもう一端がベース６１を通過してポンプ８０を介して流体媒体の供給源と連通している。図１６ａに示す構成において、流体媒体（たとえば水、油、空気または何らかの他のガス）は、このとき対面要素１０におけるチャネル２０のために意図された形状をとる中空の可撓性インサート１内へ注入される。コンクリート材料を次いで流し込んで硬化させることができる。その後、流体媒体は、中空の可撓性インサート１から排出され、中空の可撓性インサート１の端部は、ポンプ８０から切断され、次いでインサート１をチャネル２０に沿って変形させながらベース６１を引っ張ることによってボイドフォーマーを対面要素から除去することができる。
【００７０】
図３〜図１６に関連して上述した例は、互いに容易に組み合わせることができる特徴を含む。
【００７１】
図３〜図１２および図１４〜図１６の実施形態において、可撓性材料からなる、ボイドフォーマーの単一のインサートが、鋳造材料が添加されて硬化するとき、アンカーコアの荷重伝達表面１５Ａに沿って連続的に延びている。これにより、滑らかな荷重伝達表面１５Ａが保証され、これは張力補強ストリップ１１が表面と接触する場所での表面欠陥を回避することによって補強土構造１００の耐久性にとって好都合である。
【００７２】
上述の実施形態は、本明細書に開示された本発明の例示であり、添付の特許請求の範囲において定義される範囲から逸脱することなくさまざまな変更を行うことができることが理解されよう。
【符号の説明】
【００７３】
１００  補強土構造
１０  対面要素
１１  補強ストリップ
１１Ａ  ループ部分
１１Ｂ  張力部分
１１Ｃ  張力部分
１２  埋戻し材
１３  後面
１４  前面
１５  アンカーコア
１５Ａ  荷重伝達表面
１８  ループ部分
２０  チャネル
２１  第１の開口
２２  第２の開口
１  インサート
１Ａ  インサート
１Ｂ  インサート
２  第１の端部
３  第２の端部
４  第１の端部２の厚さ
５  第２の端部３での厚さ
６  内部骨組み
３０  モールド
３１  第１の形状
３２  第２の形状
３３  構造
４０  シース
４１  第１のコネクタ部
４２  第２のコネクタ部
４３  第２のコネクタ部
４４  他のコネクタ部
４５  ギャップ
５０  支持構造
５１  凹部
５２  突起
６０  ストラップ
６０Ａ  ストラップ部
６０Ｂ  ストラップ部
６１  ベース
６１Ａ  ベース部
６１Ｂ  ベース部
６３  凹部
６４  穴
７０  管状部材
７１  ストリップ
７２  顎
７３  ベース部
７４  延長部
７５  ねじ
７６  ナット
８０  ポンプ
【図１】
2020537725.tif 000003
【図２】
2020537725.tif 000004
【図３ａ】
2020537725.tif 000005
【図３ｂ】
2020537725.tif 000006
【図４】
2020537725.tif 000007
【図５】
2020537725.tif 000008
【図６】
2020537725.tif 000009
【図７】
2020537725.tif 000010
【図８】
2020537725.tif 000011
【図９】
2020537725.tif 000012
【図１０】
2020537725.tif 000013
【図１１】
2020537725.tif 000014
【図１２】
2020537725.tif 000015
【図１３】
2020537725.tif 000016
【図１４】
2020537725.tif 000017
【図１５】
2020537725.tif 000018
【図１６ａ】
2020537725.tif 000019
【図１６ｂ】
2020537725.tif 000020
【国際調査報告】
2020537725.tif 000021
2020537725.tif 000022